(57)【要約】【課題】従来の直管形の蛍光灯が誤接続されることのない安全なＬＥＤ照明器具を提供する。【解決手段】ＬＥＤ照明器具１を、ＬＥＤランプ７の先端部のキャップ７４を第２ソケット５の支持凹部５０に差し込み、ＬＥＤランプ７の基端部を第１ソケット４により位置決め支持するとともに、押えばね７７の弾性力によりＬＥＤランプ７を第２ソケット５に向けて押圧することで、ＬＥＤランプ７の長手方向の両端部をそれぞれ第１ソケット４及び第２ソケット５にて支持する構成とする。このような構成により、従来の直管形の蛍光灯をＬＥＤ照明器具１に取り付けることはできない。これにより従来の蛍光灯が誤って接続されることがなくなるので安全を保障することができる。【選択図】図５
2017157436.tif 000002
【特許請求の範囲】
【請求項１】
直管形のＬＥＤランプを備えたＬＥＤ照明器具であって、
長尺状の器具本体と、前記器具本体の長手方向の一端部に配置される第１ソケットと、前記器具本体の長手方向の他端部に配置される第２ソケットとを備え、
前記ＬＥＤランプは、直管形状のランプ管と、前記ランプ管内に収容されたＬＥＤ光源ユニットと、前記ランプ管の先端部に設けられた円すい形状のキャップと、前記ランプ管の基端部に設けられた位置決め凸部と、前記ランプ管の基端部に設けられ、当該ＬＥＤランプを軸方向に押圧するための押えばねとを有し、
前記第１ソケットには、前記ＬＥＤランプの位置決め凸部に対応する位置に位置決め溝が設けられ、前記第２ソケットには、前記ＬＥＤランプの円すい形状のキャップに対応する形状の支持凹部が設けられており、
前記ＬＥＤランプのキャップを前記第２ソケットの支持凹部に差し込み、前記ＬＥＤランプの位置決め凸部を前記第１ソケットの位置決め溝に嵌め込むとともに、前記押えばねにて前記キャップを前記第２ソケットの支持凹部の内面に押圧した状態で接触させることにより、前記ＬＥＤランプの両端部がそれぞれ第１ソケット及び第２ソケットに位置決め支持され、かつ、その位置決め状態で、前記ＬＥＤ光源ユニットのＬＥＤの光出射面が被照射エリアに向くように構成されていることを特徴とするＬＥＤ照明器具。
【請求項２】
請求項１に記載のＬＥＤ照明器具であって、
前記器具本体の長手方向に延びる反射板と、前記ＬＥＤランプを収容するガラス管とを備え、
前記反射板の一端部と前記ガラス管の一端部と前記第１ソケットとが共締め状態で締結され、前記反射板の他端部と前記ガラス管の他端部と前記第２ソケットとが共締め状態で締結されていることを特徴とするＬＥＤ照明器具。
【請求項３】
請求項１または２に記載のＬＥＤ照明器具に用いられるＬＥＤランプであって、
直管形状のランプ管と、前記ランプ管内に収容されたＬＥＤ光源ユニットと、前記ランプ管の先端部に設けられた円すい形状のキャップと、前記ランプ管の基端部に設けられた位置決め凸部と、前記ランプ管の基端部に設けられ、当該ＬＥＤランプを軸方向に押圧するための押えばねとを備えていることを特徴とするＬＥＤランプ。
【発明の詳細な説明】
【技術分野】
【０００１】
本発明は、例えば、石油プラントや化学薬品工場などの防爆エリア、一般工場、プラント、倉庫などの屋内外のエリアの照明に用いられるＬＥＤ照明器具及びＬＥＤランプに関する。
【背景技術】
【０００２】
屋内外のエリアの照明に用いられる照明器具としては、従来、直管形の蛍光灯を用いた照明器具が一般に使用されている。また、近年では、直管形の蛍光灯に替えてＬＥＤ（発光ダイオード：Light-Emitting Diode）を光源とする直管形のＬＥＤランプを用いたＬＥＤ照明器具も実用化されている（例えば、特許文献１及び２参照）。
【０００３】
直管形のＬＥＤランプは、例えば、透光性を有するランプ管（直管）、そのランプ管内に収容されたＬＥＤ光源ユニット、及び、ランプ管の両端部に設けられた口金（例えば２ピン式のＧ１３口金）などを備えている。
【先行技術文献】
【特許文献】
【０００４】
【特許文献１】特開２０１６−０１５３３６号公報
【特許文献２】特開２０１６−０２５０１６号公報
【発明の概要】
【発明が解決しようとする課題】
【０００５】
上記のようにＧ１３口金を備えた直管形のＬＥＤランプは一般的な直管形の蛍光灯と互換性があるため、直管形の蛍光灯をＬＥＤランプ用の照明器具に取り付けることが可能である。しかしながら、蛍光灯点灯装置（安定器等）とＬＥＤランプ点灯装置とは異なるため、ＬＥＤ照明器具に誤って直管形の蛍光灯を取り付けた場合（電気的接続を行った場合）、安全が保障されない場合がある。また、従来の蛍光灯灯具に誤って直管形の蛍光灯ＬＥＤランプを取り付けた場合にも安全が保障できなくなり電気用品安全法（ＰＳＥ法）の基準を満足できなくなる場合がある。
【０００６】
本発明はそのような実情を考慮してなされたもので、従来の直管形の蛍光灯が誤接続されることのない安全なＬＥＤ照明器具を提供すること、及び、そのようなＬＥＤ照明器具に用いられるＬＥＤランプを提供することを目的とする。
【課題を解決するための手段】
【０００７】
本発明は、直管形のＬＥＤランプを備えたＬＥＤ照明器具において、長尺状の器具本体と、前記器具本体の長手方向の一端部に配置される第１ソケットと、前記器具本体の長手方向の他端部に配置される第２ソケットとを備えている。前記ＬＥＤランプは、直管形状のランプ管と、前記ランプ管内に収容されたＬＥＤ光源ユニットと、前記ランプ管の先端部に設けられた円すい形状のキャップと、前記ランプ管の基端部に設けられた位置決め凸部と、前記ランプ管の基端部に設けられ、当該ＬＥＤランプを軸方向に押圧するための押えばねとを有する。さらに、前記第１ソケットには、前記ＬＥＤランプの位置決め凸部に対応する位置に位置決め溝が設けられ、前記第２ソケットには、前記ＬＥＤランプの円すい形状のキャップに対応する形状の支持凹部が設けられている。そして、前記ＬＥＤランプのキャップを前記第２ソケットの支持凹部に差し込み、前記ＬＥＤランプの位置決め凸部を前記第１ソケットの位置決め溝に嵌め込むとともに、前記押えばねにて前記キャップを前記第２ソケットの支持凹部の内面に押圧した状態で接触させることにより、前記ＬＥＤランプの両端部がそれぞれ第１ソケット及び第２ソケットに位置決め支持され、かつ、その位置決め状態で、前記ＬＥＤ光源ユニットのＬＥＤの光出射面が被照射エリアに向くように構成されていることを特徴としている。
【０００８】
本発明のＬＥＤ照明器具にあっては、ＬＥＤランプの先端部のキャップを第２ソケットの支持凹部に差し込み、ＬＥＤランプの基端部を第１ソケットにより位置決め支持するとともに、押えばねの弾性力によりＬＥＤランプを第２ソケットに向けて押圧することで、ＬＥＤランプの長手方向の両端部をそれぞれ第１ソケット及び第２ソケットにて支持する構成としているので、本発明のＬＥＤ照明器具には従来の直管形の蛍光灯をＬＥＤ照明器具に取り付けることはできない。これにより従来の蛍光灯が誤って接続されることがなくなるので安全を保障することができる。
【０００９】
ここで、ＬＥＤ光源ユニットがランプ管に収容されたＬＥＤランプでは、ＬＥＤの光出射面が被照射エリア（天井吊り式の場合は下方）に向くようにＬＥＤランプをＬＥＤ照明器具に取り付ける必要がある。本発明のＬＥＤ照明器具にあっては、第１ソケットの位置決め溝にＬＥＤランプの位置決め凸部を嵌め込むことにより、ＬＥＤの光出射面が被照射エリアに向くように構成されているので、ＬＥＤランプをＬＥＤ照明器具に取り付ける際の作業性がよくなる。
【００１０】
本発明のＬＥＤ照明器具において、器具本体の長手方向に延びる反射板と、ＬＥＤランプを収容するガラス管とを備え、反射板の一端部とガラス管の一端部と第１ソケットとを共締め状態で締結し、反射板の他端部とガラス管の他端部と第２ソケットとを共締め状態で締結する構造とすれば、これら第１ソケットと反射板とガラス管と第２ソケットとを一体化することができるので、第１ソケット、ガラス管及び第２ソケットにて形成される容器（ＬＥＤランプ収容容器）の強度を高めることができる。これにより、ＬＥＤランプ収容容器を耐圧防爆容器とすることが可能になる。
【００１１】
本発明のＬＥＤランプは、上記の特徴を有するＬＥＤ照明器具に用いられる直管形のＬＥＤランプであって、直管形状のランプ管と、ランプ管内に収容されたＬＥＤ光源ユニットと、ランプ管の先端部に設けられた円すい形状のキャップと、ランプ管の基端部に設けられた位置決め凸部と、ランプ管の基端部に設けられ、当該ＬＥＤランプを軸方向に押圧するための押えばねとを備えていることを特徴とする。直管形のＬＥＤランプをこのような構造とすることにより、従来の直管形の蛍光灯との互換性がなくなるで、従来の蛍光灯灯具（照明器具）に誤接続されることはない。
【発明の効果】
【００１２】
本発明によれば、従来の直管形の蛍光灯が誤接続されることのない安全なＬＥＤ照明器具を実現することができる。また、本発明のＬＥＤランプは、従来の直管形の蛍光灯との互換性がないので、従来の蛍光灯灯具（照明器具）に誤接続されることがない。
【図面の簡単な説明】
【００１３】
【図１】本発明のＬＥＤ照明器具の実施形態を示す斜視図である。
【図２】本発明のＬＥＤ照明器具の実施形態を示す斜視図である。
【図３】本発明のＬＥＤ照明器具の右側面図である。
【図４】本発明のＬＥＤ照明器具の左側面図である。
【図５】図３のＡ−Ａ断面図である。
【図６】図５のＢ−Ｂ断面図である。
【図７】図７（ａ）は第１ソケットの周辺部分の構造を示す断面図であり、図７（ｂ）は図７（ａ）のＣ矢視図である。なお、図７（ａ）及び図７（ｂ）では、第１ソケットのソケット蓋及びＬＥＤランプを取り外した状態を示している。
【図８】図８（ａ）及び図８（ｂ）はそれぞれ第１ソケットの周辺部分の構造を示す側面図である。
【図９】図８（ａ）のＤ−Ｄ断面図である。
【図１０】図１０（ａ）及び図１０（ｂ）はそれぞれ第２ソケットの周辺部分の構造を示す側面図である。
【図１１】図１０（ａ）のＥ−Ｅ断面図である。
【図１２】図１２（ａ）はＬＥＤランプの側面図、図１２（ｂ）はＬＥＤランプを底面側から見た断面図である
【図１３】図１２（ａ）のＦ矢視図である。
【図１４】図１２（ａ）のＧ−Ｇ断面図である。
【図１５】図１３のＨ−Ｈ断面図である。
【図１６】ＬＥＤランプの位置決め凸部が第１ソケットの位置決め溝に嵌め込まれた状態を示す図である。
【図１７】本発明のＬＥＤ照明器具の実施形態において、ＬＥＤランプを第１ソケット、ガラス管及び第２ソケットに対してスライドさせた状態を示す断面図である。
【発明を実施するための形態】
【００１４】
以下、本発明の実施形態を図面に基づいて説明する。
【００１５】
図１〜図１７は本発明のＬＥＤ照明器具の実施形態を示す図である。
【００１６】
本実施形態のＬＥＤ照明器具１は、例えば、石油プラントや化学薬品工場などの防爆エリア、一般工場、プラント、倉庫などの屋内外のエリアの照明に用いられる天井吊下式の照明器具であって、器具本体２、反射板３、第１ソケット４、第２ソケット５、ガラス管６、直管形のＬＥＤランプ７、及び制御装置８などを備えている。
【００１７】
以下、本実施形態のＬＥＤ照明器具１の各部の詳細について説明する。
【００１８】
なお、以下の説明では、ＬＥＤ照明器具１（器具本体２）の長手方向を単に「長手方向」と言い、ＬＥＤ照明器具１（器具本体２）の短手方向を単に「短手方向」と言う。
【００１９】
−器具本体−
器具本体２は枠体２１及び２つの本体蓋２２，２３などを備えている。枠体２１は、アルミニウム等の押し出し成形品（押し出し材）である。枠体２１の押し出し方向（長手方向）の両端部（側部）は開口されており、その両端部の開口部はそれぞれ本体蓋２２，２３によって覆われている。器具本体２の内部には制御装置８が配置されている（図５参照）。
【００２０】
枠体２１の上部壁２１ａには、吊下パイプＰを保持する２つのパイプ保持具２４，２５が配置されており、その各パイプ保持具２４，２５は枠体２１の上部壁２１ａにボルト（図示せず）にて固定されている。図５に示すように、２つのパイプ保持具２４，２５のうち、一方のパイプ保持具２５（図５の左側のパイプ保持具２５）の配置位置の上部壁２１ａには電線導入穴２１ｂが開口されている。その電線導入穴２１ｂには、複数の電線挿通穴を有するゴムスリーブ２６が嵌め込まれており、このゴムスリーブ２６の電線挿通穴を通じて電線が器具本体２内部に導かれ、当該器具本体２内部に配置の制御装置８に接続される。制御装置８には、ＬＥＤ駆動回路及び調光回路などが組み込まれており、後述するＬＥＤランプ７のＬＥＤ光源ユニット７０の駆動などを制御する。
【００２１】
−反射板−
反射板３は、アルミニウム等の押し出し成形品（押し出し材）であって、長手方向に沿って延びている。図９及び図１１に示すように、反射板３は、中央の円弧部３１と、円弧部３１の短手方向の両端の円柱部３２と、その各円柱部３２からそれぞれ下方に傾斜する傾斜板３３とが一体形成されている。各円柱部３２の長手方向の両端部には、それぞれ雌ねじ穴３ａと雌ねじ穴３ｂとが設けられている（図８〜図１１参照）。
３  −ソケット・ガラス管−
第１ソケット４は器具本体２の長手方向の一端部に配置され、第２ソケット５は器具本体２の長手方向の他端部に配置されている。
【００２２】
第１ソケット４は、例えばアルミニウムダイキャスト製品であって、ソケット本体４１とソケット蓋４２とを備えている。ソケット本体４１には水平フランジ４１ａが一体形成されており、この水平フランジ４１ａが器具本体２に２本のなべ小ねじ１３，１３によって着脱可能に取り付けられている。
【００２３】
ソケット本体４１の一端部（器具本体２の長手方向の一端側の端部）には一対のフランジ４１ｂ，４１ｂが一体形成されている。この一対のフランジ４１ｂ，４１ｂはソケット本体４１の上下に配置されている。各フランジ４１ｂにはそれぞれ雌ねじ穴４１ｄが設けられている（図５、図７参照）。
【００２４】
ソケット本体４１の他端部（器具本体２の長手方向の他端側の端部）には一対のフランジ４１ｃ，４１ｃが一体形成されている。この一対のフランジ４１ｃ，４１ｃはソケット本体４１の側部に配置されている。各フランジ４１ｃにはそれぞれボルト挿通穴４１ｅが設けられている（図８参照）。これらボルト挿通穴４１ｅ，４１ｅは上記反射板３の一端部の雌ねじ穴３ａ，３ａに対応する位置関係で配置されている。
【００２５】
ソケット本体４１には、円筒形状のランプ挿通穴４０が設けられている（図５、図７等参照）。ランプ挿通穴４０は、大径穴４０ａと中径穴４０ｂと小径穴４０ｃとからなる段付き（３段）の貫通穴である。ランプ挿通穴４０の小径穴４０ｃの内径（最小径）は、後述するＬＥＤランプ７のランプ管７１の外径よりも大きい。これによりランプ挿通穴４０にランプ管７１を挿通することが可能である。大径穴４０ａの内周面は円すいテーパ面となっている。
【００２６】
ランプ挿通穴４０の中径穴４０ｂの内面には、当該ランプ挿通穴４０の軸方向に沿って延びる３つの位置決め溝４３ａ，４３ｂ，４３ｃが設けられている（図７参照）。これら位置決め溝４３ａ，４３ｂ，４３ｃは後述するＬＥＤランプ７の位置決め凸部７６ａ，７６ｂ，７６ｃと対応する位置関係で配置されている。具体的には、３つの位置決め溝４３ａ，４３ｂ，４３ｃのうちの１つの位置決め溝４３ａは、ランプ挿通穴４０（中径穴４０ｂ）の最下部となる位置（ランプ挿通穴４０の中心を通る鉛直線ＣＬ１（以下、中心線ＣＬ１と言う））上となる位置：図７及び図１６参照）に配置されている。他の２つの位置決め溝４３ｂ，４３ｃは、ランプ挿通穴４０の上部で中心線ＣＬ１に対して傾斜した位置に配置されている。
【００２７】
また、ソケット本体４１の他端部には差込凹部４ａが設けられている（図５、図７参照）。差込凹部４ａはランプ挿通穴４０の外側の周壁に形成されたリング状の溝であってガラス管６の一端部が差し込まれる。この差込凹部４ａのリング中心（ガラス管６の管中心）とランプ挿通穴４０の円筒中心とは一致している。
【００２８】
さらに、ソケット本体４１の上部中央には電線導入穴４１ｆが開口されている（図７参照）。電線導入穴４１ｆには、複数の電線挿通穴を有するゴムスリーブ４４が嵌め込まれており、このゴムスリーブ４４の電線挿通穴を通じて電線（制御装置８からの電線）がソケット本体４１内部に挿通される。ゴムスリーブ４４はケーブルグランド４５にて固定されている。
【００２９】
ソケット蓋４２は、図５に示すように、ソケット本体４１の一端面に対応する形状に加工された蓋本体４２ａと、ソケット本体４１に嵌め込まれる嵌合部４２ｂとからなる。嵌合部４２ｂの外周面は円すいテーパ面となっており、上記ランプ挿通穴４０の大径穴４０ａの内周面（円すいテーパ面）に密着した状態で嵌合することが可能である。
【００３０】
蓋本体４２ａには、２つボルト挿通穴４２ｃ，４２ｃが設けられている。これら挿通穴４２ｃ，４２ｃは、ソケット本体４１の雌ねじ穴４１ｄ，４１ｄに対応する位置関係で配置されている。そして、このようなソケット蓋４２の嵌合部４２ｂをソケット本体４１のランプ挿通穴４０（大径穴４０ａ）に嵌め込み、蓋本体４２ａをソケット本体４１の一端面に合わせるとともに、そのソケット本体４１の各雌ねじ穴４１ｄにそれぞれソケット蓋４２のボルト挿通穴４２ｃを合わせる。この状態で、そのソケット蓋４２の各ボルト挿通穴４２ｃにそれぞれ蓋止ボルト１２を挿通し、その各蓋止ボルト１２をそれぞれソケット本体４１の雌ねじ穴４１ｄにねじ込むことによって、ソケット蓋４２をソケット本体４１に取り付ける。このソケット蓋４２の取り付け状態で、ソケット本体４１のランプ挿通穴４０の一端側が閉鎖される。なお、ソケット本体４１の一端面とソケット蓋４２との合わせ部にはＯリング４８が挟み込まれている。
【００３１】
第２ソケット５は、例えばアルミニウムダイキャスト製品であって、器具本体２にヒンジ１０を介して支持されており、図１７に示すように器具本体２に対して揺動可能となっている。第２ソケット５には一対のフランジ５１，５１が一体形成されている。この一対のフランジ５１，５１は第２ソケット５の側部に配置されている。各フランジ５１にはそれぞれボルト挿通穴５１ａが設けられている。これらボルト挿通穴５１ａ，５１ａは上記反射板３の一端部の雌ねじ穴３ｂ，３ｂに対応する位置関係で配置されている（図１０参照）。
【００３２】
第２ソケット５の一端部（器具本体２の長手方向の一端側の端部）には支持凹部５０が設けられている。支持凹部５０の内周面は円すいテーパ面となっており、後述するＬＥＤランプ７の先端部のキャップ７４（円すい形状）を差し込むことが可能であり、その差し込み状態で支持凹部５０の内面（円すいテーパ面）とキャップ７４の外面（円すい面）とが接触する（図５参照）。
【００３３】
また、第２ソケット５の一端部には差込凹部５ａが設けられている。差込凹部５ａは支持凹部５０の外側の周壁に形成されたリング状の溝であってガラス管６の他端部が差し込まれる。この差込凹部５ａの中心と支持凹部５０の中心（円すいテーパ面の中心軸）とは一致している。
【００３４】
ガラス管６は、直管形の円筒部材であって、内径が後述するＬＥＤランプ７のランプ管７１の外径よりも大きい。ガラス管６の両端部にはそれぞれ略リング形状の前面蓋６１，６２が配置される（図５、図８、図１０等参照）。これら２つの前面蓋６１，６２のうちの一方の前面蓋６１（第１ソケット４側）には２つのボルト挿通穴６１ａ，６１ａが設けられている。これらボルト挿通穴６１ａ，６１ａは、反射板３の一端部の雌ねじ穴３ａ，３ａ（第１ソケット４のボルト挿通穴４１ｅ，４１ｅ）に対応する位置関係で配置されている（図８参照）。また、他方の前面蓋６２（第２ソケット５側）にも２つのボルト挿通穴６２ａ，６２ａが設けられている。これらボルト挿通穴６２ａ，６２ａは、反射板３の他端部の雌ねじ穴３ｂ，３ｂ（第２ソケット５のボルト挿通穴５１ａ，５１ａ）に対応する位置関係で配置されている（図１０参照）。
【００３５】
−ＬＥＤランプ−
ＬＥＤランプ７は、図１２〜図１５等に示すように、ＬＥＤ光源ユニット７０、ヒートシンク７２、拡散カバー７３、キャップ７４、ランプ蓋７５、位置決めプレート７６、及び押えばね７７などを備えている。
【００３６】
ＬＥＤ光源ユニット７０は、ＬＥＤ基板７０ａ、及び、そのＬＥＤ基板７０ａの前面（下面）に実装された複数のＬＥＤ７０ｂ・・７０ｂなどによって構成されている。なお、光源であるＬＥＤ７０ｂは、例えば、表面実装型やＣＯＢ（チップオンボード）タイプの白色ＬＥＤである。
【００３７】
ヒートシンク７２は、長手方向に延びる長尺状の部材（例えばアルミニウム合金製の部材）であって、放熱フィンを有するシンク本体７２ａと、断面円弧状の上部カバー７２ｂとが一体形成されている。シンク本体７２ａの短手方向の両側にはそれぞれ保持部７２ｃ，７２ｃが設けられている。この各保持部７２ｃにはそれぞれ保持溝７２ｄが設けられており、これら保持溝７２ｄ，７２ｄにＬＥＤ基板７０ａの短手方向の両端部が嵌め込まれている。これにより、ＬＥＤ光源ユニット７０がヒートシンク７２に保持されている。また、シンク本体７２ａの短手方向の両側にはそれぞれ長手方向に延びるタッピング穴７２ｅ，７２ｅが設けられている。
【００３８】
拡散カバー７３は、長手方向に延びる長尺状の部材（樹脂製の部材）であって透光性を有する。拡散カバー７３は断面が円弧状（下方に凸の半円形状）に加工されている。拡散カバー７３の短手方向の両端部にはそれぞれ係止片７３ａ，７３ａが設けられており、これら係止片７３ａ，７３ａをそれぞれ上記ヒートシンク７２の保持部７２ｃ，７２ｃの外側に係止することにより、当該拡散カバー７３がヒートシンク７２に取り付けられている。この取付状態で、円弧状の上部カバー７２ｂと円弧状の拡散カバー７３とによって略円筒形状のランプ管７１が構成され、このランプ管７１の内部にＬＥＤ光源ユニット７０が収容されている。この収容状態で、各ＬＥＤ７０ｂの光出射面が下方（拡散カバー７３側）に向いている。
【００３９】
キャップ７４は樹脂製の部材であって円すい形状（砲弾形状）に加工されている。キャップ７４には挿入部７４ａが一体形成されており、その挿入部７４ａがランプ管７１の先端部（器具本体２の長手方向の他端側となる端部）に挿入されている。図１５に示すように、キャップ７４はタッピングねじ７８によってヒートシンク７２に固定されている。なお、タッピングねじ７８はヒートシンク７２のタッピング穴７２ｅにねじ込まれる。
【００４０】
一方、ランプ管７１の基端部（器具本体２の長手方向の一端側となる端部）にはランプ蓋７５が嵌め込まれている。図１２、図１５等に示すように、ランプ蓋７５には位置決めプレート７６が重ね合わせた状態で配置されており、これらランプ蓋７５、位置決めプレート７６及び押えばね７７がタッピングねじ７８によってヒートシンク７２に共締め状態で固定されている。なお、タッピングねじ７８はヒートシンク７２のタッピング穴７２ｅにねじ込まれる。
【００４１】
位置決めプレート７６の外周には、３つの位置決め凸部７６ａ，７６ｂ，７６ｃが配置されている（図１３参照）。その１つの位置決め凸部７６ａは、ランプ管７１（拡散カバー７３）の最下部となる位置（ＬＥＤ基板７０ａの下面（ＬＥＤ７０ｂの実装面）と垂直な中心線ＣＬ２上となる位置）に配置されている。他の２つの位置決め凸部７６ｂ，７６ｃは、ヒートシンク７２と拡散カバー７３の合わせ位置（係合位置）よりも上方で中心線ＣＬ２に対して傾斜した位置に配置されている。これら３つの位置決め凸部７６ａ，７６ｂ，７６ｃは、ランプ管７１の円筒中心軸に対して回転非対称の位置関係にある。
【００４２】
押えばね７７は、鋼板を折り曲げ加工した部材であって、ガラス管６内に挿入配置されたＬＥＤランプ７に対して軸方向の弾性力を付与するものである。
【００４３】
具体的には、後述する手順により、ガラス管６内にＬＥＤランプ７（ランプ管７１）を挿通し、そのＬＥＤランプ７の先端部のキャップ７４を第２ソケット５の支持凹部５０の内面に接触させた状態で、押えばね７７の端部（器具本体２の長手方向の一端側の端部）が、第１ソケット４のソケット本体４１の一端面より外側（ランプ挿通穴４０の外側）に突出するように構成されており、この押えばね７７をソケット蓋４２にて長手方向に押圧しながら（弾性変形させながら）、当該ソケット蓋４２をソケット本体４１の取り付けることにより、押えばね７７の弾性力によってＬＥＤランプ７が軸方向（長手方向）に押圧され、先端部のキャップ７４が第２ソケット５の支持凹部５０の内面に押圧された状態で接触するようになる。
【００４４】
なお、以上のＬＥＤランプ７において、ＬＥＤ光源ユニット７０のリード線Ｌはランプ蓋７５を貫通してランプ外部に導出される。そして、ＬＥＤランプ７を第１ソケット４及び第２ソケット５に取り付けた状態（図５等に示す状態）で、ＬＥＤランプ７のリード線Ｌは、第１ソケット４のソケット本体４１内部において、当該ソケット本体４１内部に挿通された電線（制御装置８からの電線）にコネクタ（図示せず）を介して電気的に接続される。
【００４５】
−照明器具の組立−
＜ソケット、ガラス管及び反射板の組立＞
図８に示すように、ガラス管６の一端部に前面蓋６１を嵌め込み、そのガラス管６の一端部を第１ソケット４のソケット本体４１の差込凹部４ａに差し込むとともに、前面蓋６１に反射板３の長手方向の一端面を合わせる。さらに、前面蓋６１に第１ソケット４のソケット本体４１の他端面を合わせるとともに、反射板３の各雌ねじ穴３ａに、それぞれ前面蓋６１のボルト挿通穴６１ａ及びソケット本体４１のボルト挿通穴４１ｅを位置合せした状態で、そのソケット本体４１の各ボルト挿通穴４１ｅ及び前面蓋６１の各ボルト挿通穴６１ａにそれぞれ反射板止ボルト１１を挿通し、その各反射板止ボルト１１をそれぞれ反射板３の雌ねじ穴３ａにねじ込むことによって、反射板３の一端部及びガラス管６の一端部をソケット本体４１に共締め状態で締結する。なお、図５に示すように、ガラス管６の一端部とソケット本体４１の差込凹部４ａの内周面との間にパッキン４６が挟み込まれている。また、ソケット本体４１と前面蓋６１との合わせ部分にもパッキン４７が配置されている。
【００４６】
また、図１０に示すように、ガラス管６の他端部に前面蓋６２を嵌め込み、そのガラス管６の他端部を第２ソケット５の差込凹部５ａに差し込むとともに、前面蓋６２に反射板３の長手方向の他端面を合わせる。さらに、前面蓋６２に第２ソケット５の一端面を合わせるとともに、反射板３の各雌ねじ穴３ｂに、それぞれ前面蓋６２のボルト挿通穴６２ａ及び第２ソケット５のボルト挿通穴５１ａを位置合せした状態で、その第２ソケット５の各ボルト挿通穴５１ａ及び前面蓋６２の各ボルト挿通穴６２ａにそれぞれ反射板止ボルト１１を挿通し、その各反射板止ボルト１１をそれぞれ反射板３の雌ねじ穴３ｂにねじ込むことによって、反射板３の一端部及びガラス管６の一端部を第２ソケット５に共締め状態で締結する。なお、図５に示すように、ガラス管６の他端部と第２ソケット５の差込凹部５ａの内周面との間にパッキン５２が挟み込まれている。また、第２ソケット５と前面蓋６２との合わせ部分にもパッキン５３が配置されている。
【００４７】
以上のようにして、第１ソケット４と第２ソケット５とに反射板３及びガラス管６を組み付けた状態で、第２ソケット５が器具本体２の長手方向の他端部にヒンジ１０を介して連結される。また、ソケット本体４１が器具本体２の長手方向の一端部になべ小ねじ１３により着脱可能に取り付けられる。
【００４８】
＜ＬＥＤランプの取り付け＞
図７及び図１７に示すように、第１ソケット４のソケット蓋４２（図５参照）を取り外した状態で、第１ソケット４のランプ挿通穴４０にＬＥＤランプ７のランプ管７１を先端部（キャップ７４側）から挿入し、そのランプ管７１をガラス管６内に挿通して、当該ランプ管７１の先端部のキャップ７４を第２ソケット５の支持凹部５０に差し入れる（図５参照）。このとき、円すい形状のキャップ７４が支持凹部５０の円すいテーパ面によって案内されるので、キャップ７４が支持凹部５０内に完全に入り込んだ状態で、支持凹部５０の中心とキャップ７４の中心（ランプ管７１の円筒中心軸）とが自動的に位置決めされる。
【００４９】
このようにしてＬＥＤランプ７のキャップ７４を第２ソケット５の支持凹部５０に差し込むとともに、ＬＥＤランプ７の基端部の位置決めプレート７６の各位置決め凸部７６ａ，７６ｂ，７６ｃを、それぞれ、ソケット本体４１のランプ挿通穴４０の内周面の位置決め溝４３ａ，４３ｂ，４３ｃを嵌め込んで位置決め固定する（図１６参照）。ここで、ＬＥＤランプ７の３つの位置決め凸部７６ａ，７６ｂ，７６ｃはランプ管７１の円筒中心軸に対して回転非対称であるので、これら位置決め凸部７６ａ，７６ｂ，７６ｃをそれぞれ位置決め溝４３ａ，４３ｂ，４３ｃに嵌め込んだ状態では、第１ソケット４に対するＬＥＤランプ７（ランプ管７１）の向きは常に一定となる。つまり、ＬＥＤランプ７の中心線ＣＬ２と第１ソケット４の中心線ＣＬ１とが一致するので、ＬＥＤ基板７０ａの下面（ＬＥＤ７０ｂの実装面）が下方に向く姿勢（各ＬＥＤ７０ｂの光出射面が下方（被照射エリア）に向く姿勢）でＬＥＤランプ７が位置決めされることになる。
【００５０】
以上のようにしてＬＥＤランプ７をガラス管６内に挿入配置した後、ＬＥＤランプ７のリード線Ｌと第１ソケット４のソケット本体４１の内に挿通した電線とをコネクタを介して電気的に接続する。なお、それらリード線Ｌと電線との電気的な接続は端子接続であってもよい。
【００５１】
その後、第１ソケット４のソケット本体４１の一端面側にソケット蓋４２を配置し、そのソケット蓋４２を、ＬＥＤランプ７の押えばね７７の弾性力に抗してソケット本体４１の一端面に合わせた状態で当該ソケット蓋４２をソケット本体４１に蓋止ボルト１２，１２によって締結する。このようにしてソケット蓋４２をソケット本体４１に取り付けた状態では、ＬＥＤランプ７の押えばね７７が撓んだ状態（弾性変形した状態）となるので、その押えばね７７の弾性力によってランプ管７１が軸方向に押され、当該ランプ管７１の先端部のキャップ７４の外周面が第２ソケット５の支持凹部５０の内面に押圧された状態で接触する。これにより、ＬＥＤランプ７の両端部がそれぞれ第１ソケット４及び第２ソケット５によって支持される。
【００５２】
＜効果＞
以上説明したように、本実施形態のＬＥＤ照明器具１によれば、ＬＥＤランプ７の先端部に円すい形状のキャップ７４を設け、基端部に位置決め凸部７６ａ〜７６ｃ及び押えばね７７を設けている。また、器具本体２の両端部にそれぞれ第１ソケット４及び第２ソケット５を配置しており、その第１ソケット４には位置決め溝４３ａ〜４３ｃを設け、第２ソケット５にはＬＥＤランプ７のキャップ７４に対応する形状の支持凹部５０を設けている。そして、ＬＥＤランプ７の先端部のキャップ７４を第２ソケット５の支持凹部５０に差し込み、ＬＥＤランプ７の基端部を第１ソケット４により位置決め支持するとともに、押えばね７７の弾性力によりＬＥＤランプ７を第２ソケット５に向けて押圧することで、ＬＥＤランプ７の長手方向の両端部をそれぞれ第１ソケット４及び第２ソケット５にて支持する構成としている。このような構成により、ＬＥＤ照明器具１のガラス管６内に、従来の直管形の蛍光灯（両端部に口金Ｇ１３を備えた蛍光灯）を挿入したとしても、その蛍光灯の電気的接続を行うことはできない。したがって、従来の蛍光灯が誤って接続されることがなくなるので安全を保障することができる。
【００５３】
また、本実施形態の直管形のＬＥＤランプ７によれば、従来の直管形の蛍光灯との互換性がないので、従来の蛍光灯灯具に誤接続されることもない。
【００５４】
さらに、本実施形態のＬＥＤ照明器具１では、反射板３が押し出し成形品であるので当該反射板３の肉厚を厚くすることができる。しかも、反射板３の一端部とガラス管６の一端部と第１ソケット４とを共締め状態で締結し、反射板３の他端部とガラス管６の他端部と第２ソケット５とを共締め状態で締結することにより一体化を図っているので、それら第１ソケット４、ガラス管６及び第２ソケット５にて形成される容器（ＬＥＤランプ収容容器）の強度を高めることができる。これにより、ＬＥＤランプ収容容器を耐圧防爆形容器とすることが可能になる。ちなみに、本実施形態のＬＥＤ照明器具１について性能試験を行ったところ、耐圧防爆容器に求められる圧力試験及び爆発引火試験を満足し、厚生労働省型式検定試験に合格できる構造であることが確認できた。さらに、反射板３及びガラス管６を２つのソケット４，５に共締め状態で締結する構造としているので、部品数の削減及び組立工数の削減を達成することができる。
【００５５】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味及び範囲内でのすべての変更が含まれる。
【００５６】
例えば、以上の実施形態では、ＬＥＤランプ７の基端部に設ける位置決め凹部及び第１ソケット４に設ける位置決め溝の数を３つとしているが、これに限られることなく、それら位置決め凹部及び位置決め溝の数は任意である。
【００５７】
以上の実施形態では、第１ソケット４、ガラス管６及び第２ソケット５にて形成される容器内にＬＥＤランプ７を収容する構造のＬＥＤ照明器具に本発明を適用した例について説明したが、本発明はこれに限られることなく、ＬＥＤランプを収容するガラス管を備えていないＬＥＤ照明器具に適用可能である。
【００５８】
以上の実施形態では、天井吊り下げ式の照明器具について説明したが、本発明はこれに限られることなく、天井面直付け式の照明器具にも適用可能である。
【産業上の利用可能性】
【００５９】
本発明は、直管形のＬＥＤランプを用いたＬＥＤ照明器具に有効に利用することができる。
【符号の説明】
【００６０】
１  照明器具
１０  ヒンジ
２  器具本体
２１  枠体
２２  本体蓋
２３  本体蓋
３  反射板
３ａ  雌ねじ穴
３ｂ  雌ねじ穴
４  第１ソケット
４ａ  差込凹部
４０  ランプ挿通穴
４１  ソケット本体
４１ｄ  雌ねじ穴
４１ｅ  ボルト挿通穴
４２  ソケット蓋
４２ｃ  ボルト挿通穴
４３ａ  位置決め溝
４３ｂ  位置決め溝
４３ｃ  位置決め溝
５  第２ソケット
５ａ  差込凹部
５０  支持凹部
５１ａ  ボルト挿通穴
６  ガラス管
６１  前面蓋
６１ａ  ボルト挿通穴
６２  前面蓋
６２ａ  ボルト挿通穴
７  ＬＥＤランプ
７０  ＬＥＤ光源ユニット
７０ａ  ＬＥＤ基板
７０ｂ  ＬＥＤ
７１  ランプ管
７２  ヒートシンク
７３  拡散カバー
７４  キャップ
７５  ランプ蓋
７６  位置決めプレート
７６ａ  位置決め凸部
７６ｂ  位置決め凸部
７６ｃ  位置決め凸部
７７  押えばね
８  制御装置
１１  反射板止ボルト
１２  蓋止ボルト
１３  なべ小ねじ
【図１】
2017157436.tif 000003
【図２】
2017157436.tif 000004
【図３】
2017157436.tif 000005
【図４】
2017157436.tif 000006
【図５】
2017157436.tif 000007
【図６】
2017157436.tif 000008
【図７】
2017157436.tif 000009
【図８】
2017157436.tif 000010
【図９】
2017157436.tif 000011
【図１０】
2017157436.tif 000012
【図１１】
2017157436.tif 000013
【図１２】
2017157436.tif 000014
【図１３】
2017157436.tif 000015
【図１４】
2017157436.tif 000016
【図１５】
2017157436.tif 000017
【図１６】
2017157436.tif 000018
【図１７】
2017157436.tif 000019
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
直管形のＬＥＤランプを備えたＬＥＤ照明器具であって、
長尺状の器具本体と、前記器具本体の長手方向の一端部に配置される第１ソケットと、前記器具本体の長手方向の他端部に配置される第２ソケットと、前記器具本体の長手方向に延びる反射板と、前記ＬＥＤランプを収容するガラス管とを備え、
前記反射板の一端部と前記ガラス管の一端部と前記第１ソケットとが共締め状態で締結され、前記反射板の他端部と前記ガラス管の他端部と前記第２ソケットとが共締め状態で締結されているとともに、
前記ＬＥＤランプは、直管形状のランプ管と、前記ランプ管内に収容されたＬＥＤ光源ユニットと、前記ランプ管の先端部に設けられた円すい形状のキャップと、前記ランプ管の基端部に設けられ、前記ランプ管の外側に突出する位置決め凸部と、前記ランプ管の基端部に設けられ、当該ＬＥＤランプを軸方向に押圧するための押えばねとを有し、
前記第１ソケットには、前記ランプ管を挿通することが可能なランプ挿通孔が形成されているとともに、前記ランプ挿通孔の一端側を閉鎖するように前記第１ソケットに取り付けられるソケット蓋を備え、前記第１ソケットのランプ挿通孔の内面には、前記ＬＥＤランプの位置決め凸部に対応する位置に、当該ランプ挿通孔の軸方向に沿って延びる位置決め溝が設けられており、
前記第２ソケットには、前記ＬＥＤランプの円すい形状のキャップに対応する円すいテーパ状の内面を有する支持凹部が設けられており、
前記第１ソケットの前記ソケット蓋を取り外した状態で、前記ランプ挿通孔に前記ＬＥＤランプのランプ管を先端部側から挿入し、そのランプ管を前記ガラス管内に挿通して、当該ランプ管の先端部のキャップを前記第２ソケットの支持凹部に差し込み、前記ＬＥＤランプの位置決め凸部を前記第１ソケットの位置決め溝に嵌め込むとともに、前記ソケット蓋を前記押えばねの弾性力に抗して前記第１ソケットに取り付け、当該押えばねにて前記キャップを前記第２ソケットの支持凹部の内面に押圧した状態で接触させることにより、前記ＬＥＤランプの両端部がそれぞれ第１ソケット及び第２ソケットに位置決め支持され、かつ、その位置決め状態で、前記ＬＥＤ光源ユニットのＬＥＤの光出射面が被照射エリアに向くように構成されていることを特徴とするＬＥＤ照明器具。
【請求項２】
請求項１に記載のＬＥＤ照明器具に用いられるＬＥＤランプであって、
直管形状のランプ管と、前記ランプ管内に収容されたＬＥＤ光源ユニットと、前記ランプ管の先端部に設けられた円すい形状のキャップと、前記ランプ管の基端部に設けられ、前記ランプ管の外側に突出する位置決め凸部と、前記ランプ管の基端部に設けられ、当該ＬＥＤランプを軸方向に押圧するための押えばねとを備えていることを特徴とするＬＥＤランプ。
【手続補正２】
【補正対象書類名】明細書
【補正対象項目名】０００７
【補正方法】変更
【補正の内容】
【０００７】
本発明は、直管形のＬＥＤランプを備えたＬＥＤ照明器具において、長尺状の器具本体と、前記器具本体の長手方向の一端部に配置される第１ソケットと、前記器具本体の長手方向の他端部に配置される第２ソケットと、前記器具本体の長手方向に延びる反射板と、前記ＬＥＤランプを収容するガラス管とを備え、前記反射板の一端部と前記ガラス管の一端部と前記第１ソケットとが共締め状態で締結され、前記反射板の他端部と前記ガラス管の他端部と前記第２ソケットとが共締め状態で締結されている。前記ＬＥＤランプは、直管形状のランプ管と、前記ランプ管内に収容されたＬＥＤ光源ユニットと、前記ランプ管の先端部に設けられた円すい形状のキャップと、前記ランプ管の基端部に設けられ、前記ランプ管の外側に突出する位置決め凸部と、前記ランプ管の基端部に設けられ、当該ＬＥＤランプを軸方向に押圧するための押えばねとを有する。さらに、前記第１ソケットには、前記ランプ管を挿通することが可能なランプ挿通孔が形成されているとともに、前記ランプ挿通孔の一端側を閉鎖するように前記第１ソケットに取り付けられるソケット蓋を備え、前記第１ソケットのランプ挿通孔の内面には、前記ＬＥＤランプの位置決め凸部に対応する位置に、当該ランプ挿通孔の軸方向に沿って延びる位置決め溝が設けられており、前記第２ソケットには、前記ＬＥＤランプの円すい形状のキャップに対応する円すいテーパ状の内面を有する支持凹部が設けられている。
そして、前記第１ソケットの前記ソケット蓋を取り外した状態で、前記ランプ挿通孔に前記ＬＥＤランプのランプ管を先端部側から挿入し、そのランプ管を前記ガラス管内に挿通して、当該ランプ管の先端部のキャップを前記第２ソケットの支持凹部に差し込み、前記ＬＥＤランプの位置決め凸部を前記第１ソケットの位置決め溝に嵌め込むとともに、前記ソケット蓋を前記押えばねの弾性力に抗して前記第１ソケットに取り付け、当該押えばねにて前記キャップを前記第２ソケットの支持凹部の内面に押圧した状態で接触させることにより、前記ＬＥＤランプの両端部がそれぞれ第１ソケット及び第２ソケットに位置決め支持され、かつ、その位置決め状態で、前記ＬＥＤ光源ユニットのＬＥＤの光出射面が被照射エリアに向くように構成されていることを特徴としている。
【手続補正３】
【補正対象書類名】明細書
【補正対象項目名】００１０
【補正方法】変更
【補正の内容】
【００１０】
本発明のＬＥＤ照明器具においては、器具本体の長手方向に延びる反射板と、ＬＥＤランプを収容するガラス管とを備え、反射板の一端部とガラス管の一端部と第１ソケットとを共締め状態で締結し、反射板の他端部とガラス管の他端部と第２ソケットとを共締め状態で締結する構造としているので、これら第１ソケットと反射板とガラス管と第２ソケットとを一体化することができ、第１ソケット、ガラス管及び第２ソケットにて形成される容器（ＬＥＤランプ収容容器）の強度を高めることができる。これにより、ＬＥＤランプ収容容器を耐圧防爆容器とすることが可能になる。
【手続補正４】
【補正対象書類名】明細書
【補正対象項目名】００５７
【補正方法】削除
【補正の内容】